(57)【要約】【課題】一本のプローブに対して、励起光と治療用レーザー光とを選択的に導入することができるプローブ用光源装置を、提供する。【解決手段】プローブ３は、電子内視鏡１の鉗子チャンネル１３に挿入される。プローブ３の基端は、レーザー装置４に装着されている。このレーザー装置４には、高エネルギーの赤外レーザー光である基本レーザ光を射出するレーザー発生装置４５，このレーザー発生装置４５から発生した基本レーザー光の光路を切換える光路切換装置４３，第１光路上に配置されているとともに基本レーザー光を受けてその第３次高調波である励起光を射出する第３次高調波発生装置４７，第３光路上に配置されているとともに基本レーザー光を受けてその第２次高調波である参照光を射出する第２次高調波発生装置５０と、励起光，参照光及び第２光路を進んで来た基本レーザー光を合わせてプローブの基端面に集光する光学系とが、内蔵されている。【選択図】　　図２
2004008381.tif 000002
【特許請求の範囲】
【請求項１】
内視鏡の鉗子チャンネルに挿入可能であってその基端から先端へ光を伝達できる長尺なプローブの基端に接続されるプローブ用光源装置において、
高エネルギーの治療用レーザー光を射出するレーザー光源と、
生体組織を励起して蛍光を発生させる励起光を射出する励起光光源と、
前記レーザー光源から射出された治療用レーザー光及び前記励起光光源から射出された励起光のうちの何れかを排他的に前記プローブの基端面に導入する選択手段と
を備えたことを特徴とするプローブ用レーザー光源装置。
【請求項２】
生体組織を照明する可視照明光である参照光を射出する参照光光源を更に備えるとともに、
前記選択手段は、前記レーザー光源から射出された治療用レーザー光，前記励起光光源から射出された励起光及び前記参照光光源から射出された参照光のうちの何れかを排他的に前記プローブの基端面に導入する選択手段と
を備えたことを特徴とするプローブ用レーザー光源装置。
【請求項３】
前記励起光光源は、前記レーザー光源から射出された治療用レーザー光を受けてその第３次高調波を前記励起光として射出する第３次高調波発生装置であり、
前記選択手段は、
前記レーザー光源から射出された治療用レーザー光の光路を、前記励起光光源に入射する第１光路と直接前記プローブに導入する第２光路とに切り換える光路切換装置と、
前記励起光光源から発生した励起光の光路を前記第２光路に結合する光路結合光学系と
からなることを特徴とする請求項１記載のプローブ用レーザー光源装置。
【請求項４】
前記励起光光源は、前記レーザー光源から射出された治療用レーザー光を受けてその第３次高調波を前記励起光として射出する第３次高調波発生装置であり、
前記参照光光源は、前記レーザー光源から射出された治療用レーザー光を受けてその第２次高調波を前記参照光として射出する第２次高調波発生装置であり、
前記選択手段は、
前記レーザー光源から射出された治療用レーザー光の光路を、前記励起光光源に入射する第１光路と直接前記プローブに導入する第２光路と前記参照光光源に入射する第３光路とに切り換える光路切換装置と、
前記励起光光源から発生した励起光の光路及び前記参照光光源から発生した参照光を前記第２光路に結合する光路結合光学系と
からなることを特徴とする請求項２記載のプローブ用レーザー光源装置。
【発明の詳細な説明】
【０００１】
【発明の属する技術分野】
本発明は、内視鏡の鉗子チャンネルに挿通されてその先端が内視鏡の先端面から突出した状態で使用されるプローブにレーザー光を導入するためのプローブ用レーザー光源装置に、関する。
【０００２】
【従来の技術】
従来、生体組織に特定波長の紫外光（励起光）が照射されると、この生体組織が励起されて蛍光（自家蛍光）を発すること、及び、腫瘍や癌などの病変が生じた異常な生体組織が発する自家蛍光の分光特性は正常な生体組織が発する自家蛍光の分光特性とは異なることが、知られている。具体的には、正常な生体組織が発する自家蛍光の緑色帯域の強度は、病変が生じた生体組織が発する自家蛍光の緑色帯域の強度よりも弱い。このような自家蛍光に関する分光特性に基づいて、自家蛍光を発している生体組織が正常であるか異常であるかを判定する蛍光診断システムが、開発されている。
【０００３】
従来用いられてきた蛍光診断システムの一例として、励起光をその先端から射出する光ファイバーバンドルからなる励起光プローブを、電子内視鏡の鉗子チャンネルを通じてその先端から突出させ、この励起光プローブの先端から照射された励起光が励起した生体組織からの蛍光による像を、電子内視鏡によって撮影するシステムがある。なお、このようにして撮影された蛍光による像は、上述したように、異常な部位において弱くなっている他、被検体の陰影部（例えば、体腔内の管空部）においても弱くなっている。従って、このような陰影部を異常部位から識別するために、蛍光による像を撮影する合間に、赤色の照明光（参照光）を照射することによって可視光像（参照像）を撮影し、この参照像における暗部を蛍光像からマスクすることが、通常採用されている。
【０００４】
一方、上述した励起光プローブに類似するプローブとして、その先端からレーザ光を射出するレーザープローブがある。このレーザープローブも、内視鏡の鉗子チャンネルに挿入され、その先端から突出された状態で、患部にレーザ光を照射する。なお、このレーザープローブには、いわゆるレーザーメスとして、レーザー光を患部に収束させて患部を焼き切るタイプの他、患部にその先端が押し当てられた状態でマーキングを施すために使用されるタイプがある。
【０００５】
図４は、上述した蛍光診断システムに、後者のタイプのレーザープローブを組み合わせてなるシステムのシステム構成図である。この図４において、１００が電子内視鏡であり、１０１が励起光プローブであり、１０２がレーザープローブである。これらのうち、電子内視鏡１００は、患者の体腔内に挿入される体腔内挿入部１００ａと、この体腔内挿入部１００ａの基端に接続された操作部１００ｂと、この操作部１００ｂに接続されている可撓管１００ｃとから、構成されている。そして、上述した鉗子チャンネルは、体腔内挿入部１００ａの先端と操作部１００ｂとの間を繋ぐように、内蔵されている。また、この体腔内挿入部１００ａの先端面には、対物レンズが嵌め込まれており、その対物レンズによって形成される像は、撮像素子１００ｆによって撮影される。この撮像素子からの出力信号を伝達する信号線１００ｇは、操作部１００ｂ及び可撓管１００ｃを通って、内視鏡プロセッサ１０３に接続されている。
【０００６】
一方、励起光プローブ１０１の基端は自家蛍光光源装置１０４に連結され、レーザープローブ１０２の基端は治療用レーザー光源装置１０５に連結される。自家蛍光光源装置１０４は、後述するコンピュータ（ＰＣ）１０６から入力されるトリガ信号及び同期信号に従って、励起光及び参照光を、交互に励起光プローブ１０１へ導入する。また、治療用レーザー光源装置１０５は、高エネルギーの治療用レーザー光をレーザープローブ１０２へ導入する。また、これら励起光プローブ１０１及びレーザープローブ１０２は、電子内視鏡１００の鉗子チャンネル１００ｄに挿入され、この電子内視鏡１００における体腔内挿入部１００ａの先端面から突出されて、使用される。
【０００７】
内視鏡プロセッサ１０３は、励起光プローブ１０１から励起光が照射されている時に撮像素子１００ｆによって入力された画像信号、及び参照光が照射されている時に撮像素子１００ｆによって入力された画像信号に基づいて、被検体の陰影部がマスクされた蛍光画像の画像データを、生成する。この内視鏡プロセッサ１０３は、コンピュータ（ＰＣ）１０６に接続されており、このコンピュータ（ＰＣ）１０６から入力された制御信号及び同期信号に従って動作するとともに、このコンピュータ（ＰＣ）１０６に画像データを入力する。
【０００８】
コンピュータ（ＰＣ）１０６は、自家蛍光光源装置１０４，治療用レーザー光源装置１０５及び内視鏡プロセッサ１０３に各種信号を入力するとともに、内視鏡プロセッサ１０３によって入力された画像データを処理することによって、診断に有用な診断用画面を生成して、この画面をモニタ１０７に表示する。
【０００９】
【発明が解決しようとする課題】
しかしながら、従来のシステムによると、自家蛍光光源装置１０４と治療用レーザー光源装置１０５とが各プローブ１０１，１０２に夫々光を導入しているので、励起光プローブ１０１とレーザープローブ１０２とが別個に必要であった。従って、電子内視鏡１００に鉗子チャンネルが一本しかなければ、蛍光観察後にレーザー治療を行うために、鉗子チャンネル１００ｄから励起光プローブ１０１を引き抜いてレーザープローブ１０２と交換しなければならない。なお、電子内視鏡１００が鉗子チャンネルを２本持っていれば両プローブ１０１，１０２を交換することなく使用することができるが、その体腔内挿入部１００ａが太くなってしまうという問題が生じる。
【００１０】
本発明は、従来のシステムにおけるこれら問題に鑑みてなされたものであり、一本のプローブに対して励起光と治療用レーザー光とを選択的に導入することにより、鉗子チャンネルからプローブを引き抜くことなく蛍光観察とレーザー治療とを可能にするプローブ用光源装置の提供を、課題とする。
【００１１】
【課題を解決するための手段】
上記課題を解決するために案出された本発明によるプローブ用光源装置は、内視鏡の鉗子チャンネルに挿入可能であってその基端から先端へ光を伝達できる長尺なプローブの基端に接続されるプローブ用光源装置において、高エネルギーの治療用レーザー光を射出するレーザー光源と、生体組織を励起して蛍光を発生させる励起光を射出する励起光光源と、前記レーザー光源から射出された治療用レーザー光及び前記励起光光源から射出された励起光のうちの何れかを排他的に前記プローブの基端面に導入する選択手段とを、備えたことを特徴とする。
【００１２】
このように構成されると、少なくとも、レーザー光源から射出された治療用レーザー光及び励起光光源から射出された励起光のうちの何れか一方が、選択手段によって排他的に選択されて、同一のプローブに導入される。従って、内視鏡の鉗子チャンネルにこのプローブを挿入したまま、プローブを鉗子チャンネルから引き抜くことなく、治療用レーザー光を用いたレーザー治療と、励起光を用いた蛍光観察とを、交互に行うことができる。そのため、内視鏡には鉗子チャンネルが一本在りさえすれば良いので、内視鏡の挿入部の径を太くする必要がなくなる。
【００１３】
なお、励起光光源は、レーザー光源とは独立に励起光を発生するランプであっても良いが、レーザー光源装置から射出される治療用レーザー光を受けて、その第３次高調波として励起光を発する第３次高調波発生装置であっても良い。前者の場合には、選択手段は、治療用レーザー光の光路と励起光の光路とを切り換えてプローブに繋がる光路に接続する構成となるが、後者の場合には、選択手段は、治療用のレーザー光の光路を励起光光源に繋がる光路と直接プローブに繋がる光路とに切り換える構成となる。
【００１４】
【発明の実施の形態】
以下、本発明の実施形態を図面に基づいて説明する。
【００１５】
図１は、本発明によるプローブ用光源装置の一形態であるレーザー装置４を用いる内視鏡システムの概略構成図である。図１に示されるように、この内視鏡システムは、上述したレーザー装置４の他、電子内視鏡１，照明光光源装置２，プローブ３，コンピュータ（ＰＣ）５及びモニタ６から、構成される。
【００１６】
先ず、電子内視鏡１について説明する。図１には、この電子内視鏡１の詳細な形状は図示されていないが、電子内視鏡１は、生体内の管路（体腔）内に挿入される長尺な可撓管からなる挿入部１ａを有している。この挿入部１ａを構成する可撓管の先端近傍には、図示せぬ湾曲機構が組み込まれており、その先端には、硬質部材製の先端構成部が組み込まれている。この先端構成部には、軸方向に少なくとも３つの貫通孔が穿たれており、そのうちの一対の貫通孔には、配光レンズ１１及び対物レンズ１２が、夫々、填め込まれている。他の１つの貫通孔は、鉗子口１３ａとして利用される。そして、この鉗子口１３ａと操作部に穿たれた鉗子口１３ｂとを結んで内視鏡１内を引き通された管が、各種治療具をガイドするための鉗子チャネル１３として、機能する。
【００１７】
この挿入部１ａの基端には操作部１ｂが連結されており、この操作部１ｂには、上述した湾曲機構を湾曲操作するための図示せぬダイヤル及び各種操作スイッチが、設けられている。
【００１８】
この操作部１ｂの側面からは、長尺な可撓管からなるライトガイド可撓管１ｃが延びている。そして、このライトガイド可撓管１ｃの末端から操作部１ｂ内を通って挿入部１ａの先端まで、内視鏡１内にはライトガイド１５が引き通されている。このライトガイド１５は、光ファイバが多数束ねられてなる可撓なファイババンドルであり、その先端（射出面）が、配光レンズ１１に対向するように挿入部１ａの先端構成部内に固定され、その基端（入射面）が、ライトガイド可撓管１ｃの末端に形成された図示せぬコネクタから突出するように固定されている。そして、この図示せぬコネクタが照明光光源装置２の図示せぬコネクタ受けに装着されると、ライトガイド１４の入射面が照明光光源装置２内に配置される。
【００１９】
更に、挿入部１ａの先端構成部内には、対物レンズ１２によって形成された被検体（体腔内壁）の像を撮像するための固体撮像素子１６が内蔵されている。この固体撮像素子１６によって出力された画像信号を伝達するための信号線１７は、操作部１ｂ及びライトガイド可撓管１ｃを通って、上述した図示せぬコネクタに設けられた電極に接続されている。そして、上述したように当該コネクタが照明光光源装置２の図示せぬコネクタ受けに装着されると、この信号線１７は、照明光源装置２内の内視鏡プロセッサー２２に導通する。なお、対物レンズ１２と固体撮像素子１６との間には、紫外帯域の光（励起光）をカットするための励起光カットフィルタ１８が配置されている。
【００２０】
次に、プローブ３について説明する。このプローブ３は、複数本の光ファイバからなる光ファイババンドルと、この光ファイババンドルを被覆するチューブとから、構成されている。そして、このプローブ３の基端には、レーザー装置４のケーシングに形成された受け口に挿入できるように、金属パイプからなる口金が、被せられている。このプローブ３は、電子内視鏡１の鉗子チャンネル１３よりも十分に長い全長と、この鉗子チャンネル１３の内径よりも若干細い外径とを有している。従って、プローブ３は、この鉗子チャンネル１３に挿入されて、その先端を挿入部１ａの先端面に形成された鉗子口１３ａから突出させることができる。
【００２１】
次に、レーザー装置４について説明する。図２は、このレーザー装置４の回路構成及び光路を示すブロック図である。この図２に示されるように、このレーザー装置４内には、後述するコンピュータ（ＰＣ）５に接続された制御部４０と、この制御部４０に夫々接続された表示部４１，設定部４２，光路切換装置４３及び電源部４４とからなる回路が、内蔵されている。
【００２２】
制御部４０は、後述するコンピュータ（ＰＣ）５から入力される同期信号に従って、レーザー装置４内における他のデバイスを制御する。
【００２３】
設定部４２は、この制御部４０の各種制御パラメータを設定するために操作される入力装置である。例えば、この設定部４２には、制御部４０を後述する「蛍光モード」で動作させるか「治療モード」で動作させるかを切り換えるためのモード切替スイッチが、含まれている。さらに、この設定部４２には、レーザー装置４の外部に設置されるフットスイッチ４６が、接続されている。
【００２４】
表示部４１は、制御部４０に現在設定されている各種制御パラメータ（例えば現在「蛍光モード」が設定されているか「治療モード」が設定されているか）を表示するデバイスである。
【００２５】
電源部４４は、図示せぬメインスイッチがオンの時に制御部４０に主電源を供給するとともに、この制御部４０からの指示に従って、レーザー発生装置４５及び光路切換装置４３に、駆動電力を供給する。
【００２６】
レーザー光源としてのレーザー発生装置４５は、ＹＡＧレーザーを内蔵しており、電源部４４から駆動電力の供給を受けると、波長が１０６４ｎｍである高エネルギーのレーザー光（治療用レーザー光）を、射出する。
【００２７】
光路切換装置４３は、レーザー発生装置４５から射出されるレーザー光に対して共に４５度傾くととともに互いに平行である第１反射鏡４３２及び第２反射鏡４３４と、制御部４０からの指示に従って各反射鏡４３２，４３４をレーザー発生装置４５から射出されるレーザー光に直交する方向へ個別に移動させる第１移動機構４３１及び第２移動機構４３３とを、内蔵している。具体的には、第１移動機構４３１は、第１反射鏡４３２を、レーザー発生装置４５から射出されるレーザー光の光路に交差する第１位置と、レーザー光の光路から待避した第２位置との間で、移動させる。また、第２移動機構４３３は、第２反射鏡４３４を、レーザー光の光路に挿入された第１反射鏡によって９０度反射されるレーザー光の光路上において、第１反射鏡４３２に近接した診断位置と、第１反射鏡４３２から遠退いた治療位置との間で、移動させる。
【００２８】
第１反射鏡４３２が第２位置に在る場合にこのレーザー光が進む光路（第１光路）上には、順に、第３次高調波発生装置４７，第１ハーフミラー４８及び集光レンズ４９が、配置されている。励起光光源としての第３次高調波発生装置４７は、ＬＢＯ（ＬｉＢ３Ｏ５），ＹＣＯＢ（ＹＣａ４Ｏ（ＢＯ３）３），ＢＢＯ（ＢａＢ２Ｏ４），ＣＬＢＯ（ＣｓＬｉＢ６Ｏ１０）などの非線形光学結晶をからなり、入射したレーザー光（以下、基本レーザー光という）の第３次高調波（基本レーザー光の１／３の波長，即ち、３５５ｎｍのレーザー光）を、射出する。なお、この第３次高調波は、生体組織を励起させて蛍光を発生させる励起光として利用可能であり、そのエネルギーは、基本レーザー光よりも十分に小さい。
【００２９】
また、第１反射鏡４３２が第１位置に在り、且つ、第２反射鏡４３４が診断位置に在る場合に、この第２反射鏡４３４によって反射された基本レーザー光の光路（第３光路）上には、順に、第２次高調波発生装置５０及び第２ハーフミラー５１が、配置されている。参照光光源としての第２次高調波発生装置５０は、ＬＢＯ，ＫＴＰ（ＫＴｉＯＰＯ４），ＢＢＯなどの非線形光学結晶からなり、基本レーザー光の第２次高調波（基本レーザー光の１／２の波長，即ち、５３２ｎｍのレーザー光）を、射出する。なお、この第２次高調波は、緑色の可視光であるので、参照光として利用可能であり、そのエネルギーは、基本レーザー光よりも十分に小さい。
【００３０】
第２ハーフミラー５１は、第２次高調波発生装置５０から射出されたレーザー光（第２次高調波）を、第３次高調波発生装置４７から射出されたレーザー光（第３次高調波）の光路に対して直交する方向へ、反射する。上述した第１ハーフミラー４８は、第３次高調波発生装置４７から射出されたレーザー光（第３次高調波）の光路と第２ハーフミラー５１によって反射されたレーザー光（第２次高調波）の光路との交差点において、両光路に対して夫々４５度傾いて設置されている。
【００３１】
さらに、第１反射鏡４３２が第１位置に在り、且つ、第２反射鏡４３４が治療位置に在る場合に、この第２反射鏡４３４によって反射された基本レーザー光の光路（第２光路）上には、固定反射鏡５２が、配置されている。固定反射鏡５２は、第１ハーフミラー４８及び第２ハーフミラー５１と平行に配置されており、治療位置に在る第２反射鏡４３４によって反射されたレーザー光（基本レーザー光）を、第２ハーフミラー５１を介して、第１ハーフミラー４８へ向けて反射する。
【００３２】
以上の構成により、第１反射鏡４３２が第２位置に在る場合には、レーザー発生装置４５から射出された基本レーザー光が第３次高調波発生装置４７に直接入射し、この第３次高調波発生装置４７から射出されたレーザー光（第３次高調波）が、第１ハーフミラー４８を透過して、集光レンズ４９に入射する。また、第１反射鏡４３２が第１位置にあり、且つ、第２反射鏡４３４が診断位置に在る場合には、レーザー発生装置４５から射出された基本レーザー光が、第１反射鏡４３２及び第２反射鏡４３４によって順に反射されて、第２次高調波発生装置５０に入射し、この第２次高調波発生装置５０から射出されたレーザー光（第２次高調波）が、第２ハーフミラー５１及び第１ハーフミラー４８によって順に反射されて、集光レンズ４９に入射する。また、第１反射鏡４３２が第１位置にあり、且つ、第２反射鏡４３４が治療位置に在る場合には、レーザー発生装置４５から射出された基本レーザー光が、第１反射鏡４３２，第２反射鏡４３４，固定反射鏡５２によって順に反射されて、第２ハーフミラー５１を透過し、第１ハーフミラー４８によって反射されて、集光レンズ４９に入射する。即ち、固定反射鏡５２，第２ハーフミラー５１及び第１ハーフミラー４８が光路結合光学系に相当し、これらと光路切換装置４３とが選択手段に相当する。
【００３３】
集光レンズ４９は、これらのレーザー光を、収束する。この集光レンズ４９によるレーザー光の収束点には、レーザー装置４のケーシングに形成された受け口に装着されたプローブ３の端面が配置されている。従って、このプローブ３には、３種類のレーザー光（基本レーザー光，第２高調波，第３高調波）が選択的に、導入されるのである。
【００３４】
なお、制御部４０は、診断モードで動作している時には、プローブ３へ第３高調波（励起光）及び第２高調波（参照光）を導入するタイミングを、夫々ＰＣ５へ通知する。
【００３５】
図１に戻り、照明光光源装置２について説明する。この照明光光源装置２は、光源２１と内視鏡プロセッサ２２とを、内蔵している。この光源２１は、後述するコンピュータ（ＰＣ）５から入力される制御信号に従って、ハロゲンランプ等の白色ランプから放射された白色光を、リフレクタ及び集光レンズを用いて、図示せぬコネクタ受けに装着された内視鏡のコネクタに固定されているライトガイド１５の入射面に、導入する。一方、内視鏡プロセッサ２２は、後述するコンピュータ（ＰＣ）５２から入力される同期信号及び制御信号に従って、固体撮像素子１６を駆動し、その結果として当該固体撮像素子１６から出力された画像信号を処理する。具体的には、内視鏡プロセッサ２２は、照明光光源２１が白色光をライトガイド１５に導入している間に固体撮像素子１６から出力された画像信号に基づいて、可視画像データを生成し、これをコンピュータ（ＰＣ）５に入力する。また、内視鏡プロセッサ２２は、レーザー装置４が第３高調波をプローブ３に導入している間に固体撮像素子１６から出力された画像信号（第３高調波［励起光］が照射された被検体から生じた蛍光による像を示す画像信号）に基づいて蛍光画像を生成するとともに、第２高調波をプローブ３に導入している間に固体撮像素子１６から出力された画像信号（第２高調波［参照光］の反射光による被検体の像を示す画像信号）に基づいて参照画像を生成した後に、蛍光画像を参照画像中の暗部によってマスクすることによって診断用画像の画像データを生成し、この画像データをコンピュータ（ＰＣ）５に入力する。
【００３６】
コンピュータ（ＰＣ）５は、レーザー装置４及び照明光光源装置２に対して、夫々同期信号を入力するとともに、照明光光源装置２に対して、レーザー装置４が第３高調波（励起光）又は第２高調波（参照光）をプローブ３に導入していない間のみ光源２１を起動させる制御信号，レーザー装置４が第３高調波（励起光）をプローブ３に導入したタイミングを通知して蛍光画像を生成させる制御信号，レーザー装置４が第２高調波（参照光）をプローブ３に導入したタイミングを通知して参照画像を生成させる制御信号，等を、入力する。また、コンピュータ（ＰＣ）５は、照明光光源装置２の内視鏡プロセッサ２２から入力された画像データに基づいた画面を、モニタ６に表示させる。
【００３７】
次に、本実施形態によるレーザー装置４の動作を、制御部４０による各種デバイスに対する制御内容を中心として、図３のフローチャートに従って説明する。図３のフローチャートは、制御部４０に主電源が供給されることによって開始する。そして、最初のＳ０１では、制御部４０は、モードを初期設定する。ここで、初期設定されるモードは、安全確保のためには、蛍光モードであることが望ましい。次のＳ０２では、制御部４０は、設定部４２のモード切替スイッチが入力されたか否かをチェックする。そして、モード切替スイッチが入力されていなければ、制御部４０は、そのまま処理をＳ０４へ進める。これに対して、モード切替スイッチが入力されていれば、制御部４０は、Ｓ０３において、現在設定されているモードが蛍光モードであれば治療モードへ変更し、現在設定されているモードが治療モードであれば蛍光モードへ変更してから、処理をＳ０４へ進める。
【００３８】
Ｓ０４では、制御部４０は、フットスイッチ４６の状態をチェックする。そして、フットスイッチ４６がオフであれば処理をＳ０２に戻し、フットスイッチ４６がオンであれば処理をＳ０５へ進める。
【００３９】
Ｓ０５では、制御部４０は、現在設定されているモードの種類をチェックし、蛍光モードが設定されていれば処理をＳ０６へ進め、治療モードが設定されていれば処理をＳ１１へ進める。
【００４０】
Ｓ０６では、制御部４０は、光路切換装置４３の第２移動機構４３３に対して、第２反射鏡４３４を診断位置へ移動させる。
【００４１】
次のＳ０７では、制御部４０は、コンピュータ（ＰＣ）５から入力される同期信号に同期して、光路切換装置４３の第１移動機構４３１を制御して、第１反射鏡４３２による光路切り換え（第１位置と第２位置との間での第１反射鏡４３２の往復）を、開始する。
【００４２】
次のＳ０８では、制御部４０は、電源部４４に対して、レーザー発生装置４５への駆動電力の供給４５を指示する。これにより、レーザー発生装置４５は基本レーザー光を射出し、上述したように、第３次高調波発生装置４７から射出された第３次高調波（励起光）及び第２次高調波発生装置５０から射出された第２次高調波（参照光）が、交互に、プローブ３に導入される。なお、プローブに第３次高調波（励起光）が導入されるタイミング，及び第２次高調波（参照光）が導入されるタイミングは、制御部４０からコンピュータ（ＰＣ）５へ通知され、更に、制御信号として照明光光源装置２の内視鏡プロセッサ２２に入力される。その結果、内視鏡プロセッサ２２によって生成された診断用画像が、コンピュータ（ＰＣ）５によってモニタ６上に表示される。
【００４３】
その後、制御部４０は、次のＳ０９においてフットスイッチ４６がオフになるのを待ち、オフになると、Ｓ１０において、光路切換装置４３の第１移動機構４３１に対して第１反射鏡４３２を停止させるとともに、Ｓ１５において、電源部４４に対してレーザー発生装置４５への駆動電力供給を停止させて、処理をＳ０２に戻す。
【００４４】
一方、Ｓ１１では、制御部４０は、光路切換装置４３の第２移動機構４３３に対して、第２反射鏡４３４を治療位置へ移動させる。
【００４５】
次のＳ１２では、制御部４０は、光源切換装置４３の第１移動機構４３１に対して、第１反射鏡４３２を第１位置へ移動させる。
【００４６】
次のＳ１３では、制御部４０は、電源部４４に対して、レーザー発生装置４５への駆動電力の供給を指示する。これにより、レーザー発生装置４５は基本レーザー光を射出し、上述したように、この基本レーザー光がそのままプローブ３に導入される。その結果、電子内視鏡１の挿入部１ａの先端面に開口した鉗子口１３ａから突出したプローブ３の先端から、この基本レーザー光が患部に対して照射され、この患部に対する治療が行われる。
【００４７】
その後、制御部４０は、次のＳ１４においてフットスイッチ４６がオフになるのを待ち、オフになると、Ｓ１５において、電源部４４に対してレーザー発生装置４４への駆動電力供給を停止させて、処理をＳ０２に戻す。
【００４８】
以上説明したように、本実施形態によるレーザー装置４は、同一のプローブ３に対して、治療用レーザー光（基本レーザー光），励起光（第３高調波）及び参照光（第２高調波）を選択的に導入することができる。従って、プローブ３を電子内視鏡１の鉗子チャンネル１３に挿入したまま、これを交換することなく、蛍光観察と、レーザー治療とを、交互に行うことができる。
【００４９】
【発明の効果】
以上に説明したように、本発明のプローブ用光源装置によると、一本のプローブに対して励起光と治療用レーザー光とを選択的に導入することができるので、内視鏡の鉗子チャンネルからプローブを引き抜くことなく、このプローブを用いた蛍光観察とレーザー治療とを交互に行うことができる。
【図面の簡単な説明】
【図１】本発明によるプローブ用光源装置の実施の形態であるレーザー装置が用いられた内視鏡システムの概略構成図
【図２】レーザー装置の詳細構成図
【図３】制御部によって実行される制御処理の内容を示すフローチャート
【図４】従来の内視鏡システムの概略構成図
【符号の説明】
１　　電子内視鏡
３　　プローブ
４　　レーザー装置
１３　　鉗子チャンネル
４０　　制御部
４３　　光路切換装置
４５　　レーザー発生装置
４７　　第３次高調波発生装置
４８　　第１ハーフミラー
４９　　集光レンズ
５０　　第２次高調波発生装置
５１　　第２ハーフミラー
５２　　固定反射鏡
４３１　　第１移動機構
４３２　　第１反射鏡
４３３　　第２移動機構
４３４　　第２反射鏡
【図１】
2004008381.tif 000003
【図２】
2004008381.tif 000004
【図３】
2004008381.tif 000005
【図４】
2004008381.tif 000006